(57)【要約】【課題】縦向きで使用される場合と横向きで使用される場合のアンテナ素子の放射特性の差を小さくする。【解決手段】アンテナ２０は、地板２１、回路基板２２、および回路基板２２上に設置されるアンテナ素子２３により構成される。アンテナ素子２３は、液晶ディスプレイ機器が縦向きおよび横向きのいずれの向きであっても、アンテナ素子２３の放射特性の水平面内の分布のばらつきが小さくなるように、回路基板２２の右上端部から所定のオフセットだけ離れた位置に設置される。本発明は、例えば、縦向きと横向きで使用可能な液晶ディスプレイ機器に適用することができる。【選択図】図２
2010226310.tif 000002
【特許請求の範囲】
【請求項１】
回路基板と、
前記回路基板上に設置されるアンテナ素子
を備え、
前記アンテナ素子は、自分の電子機器が縦向きおよび横向きのいずれの向きであっても、前記アンテナ素子の放射特性の水平面内の分布のばらつきが小さくなるように、前記回路基板の端部から所定のオフセットだけ離れた位置に設置される
電子機器。
【請求項２】
前記電子機器の向きに対応する向きで表示を行う表示手段
をさらに備える
請求項１に記載の電子機器。
【請求項３】
前記アンテナ素子は、モノポールアンテナ、逆Ｆ型アンテナ、逆Ｌ型アンテナ、折り返しモノポールアンテナ、またはスロットアンテナである
請求項１に記載の電子機器。
【請求項４】
前記アンテナ素子は、複数の周波数で共振する
請求項１に記載の電子機器。
【請求項５】
前記アンテナ素子は、前記複数の周波数の各周波数で共振する場合において、前記電子機器が縦向きおよび横向きのいずれの向きであっても、前記放射特性の水平面内の分布のばらつきが小さくなるように、前記回路基板の端部から前記所定のオフセットだけ離れた位置に設置される
請求項４に記載の電子機器。
【請求項６】
回路基板と、
前記回路基板上に設置されるアンテナ素子
を備え、
前記アンテナ素子は、自分の電子機器が縦向きである場合と横向きである場合の前記アンテナ素子の放射特性の水平面内の分布の平均値の差が小さくなるように、前記回路基板の端部から所定のオフセットだけ離れた位置に設置される
電子機器。
【請求項７】
前記電子機器の向きに対応する向きで表示を行う表示手段
をさらに備える
請求項６に記載の電子機器。
【請求項８】
前記アンテナ素子は、モノポールアンテナ、逆Ｆ型アンテナ、逆Ｌ型アンテナ、折り返しモノポールアンテナ、またはスロットアンテナである
請求項６に記載の電子機器。
【請求項９】
前記アンテナ素子は、複数の周波数で共振する
請求項６に記載の電子機器。
【請求項１０】
前記アンテナ素子は、前記複数の周波数の各周波数で共振する場合において、前記電子機器が縦向きである場合と横向きである場合の前記放射特性の水平面内の分布の平均値の差が小さくなるように、前記回路基板の端部から前記所定のオフセットだけ離れた位置に設置される
請求項９に記載の電子機器。
【請求項１１】
回路基板と、
前記回路基板上に設置されるアンテナ素子
を備え、
前記アンテナ素子は、前記アンテナ素子の放射特性の全方位分布が真球に近くなるように、前記回路基板の端部から所定のオフセットだけ離れた位置に設置される
電子機器。
【請求項１２】
前記電子機器の向きに対応する向きで表示を行う表示手段
をさらに備える
請求項１１に記載の電子機器。
【請求項１３】
前記アンテナ素子は、モノポールアンテナ、逆Ｆ型アンテナ、逆Ｌ型アンテナ、折り返しモノポールアンテナ、またはスロットアンテナである
請求項１１に記載の電子機器。
【請求項１４】
前記アンテナ素子は、複数の周波数で共振する
請求項１１に記載の電子機器。
【請求項１５】
前記アンテナ素子は、前記複数の周波数の各周波数で共振する場合において、前記放射特性の全方位分布が真球に近くなるように、前記回路基板の端部から前記所定のオフセットだけ離れた位置に設置される
請求項１４に記載の電子機器。
【発明の詳細な説明】
【技術分野】
【０００１】
本発明は、電子機器に関し、特に、縦向きで使用される場合と横向きで使用される場合のアンテナ素子の放射特性の差を小さくすることができるようにした電子機器に関する。
【背景技術】
【０００２】
無線通信機能は、一般的に、パーソナルコンピュータ、携帯電話機、PDA（Personal Digital Assistant）等の通信機器に搭載されている。また、無線通信機能は、近年、オーディオ機器、ビデオ機器、カメラ機器、プリンタ、エンタテイメントロボット、デジタルフォトフレームなどの通信機器以外の民生用電子機器にも搭載されている。
【０００３】
無線通信方式としては、例えば、IEEE(Institute of Electrical and Electronic Engineers)802.11aで提案されている5.2GHz帯域の搬送電波を用いる狭域無線通信システムがある。また、IEEE802.11bで提案されている2.4GHz帯域の搬送電波を用いる無線LAN（Local Area Network）システムやBluetoothと称される近距離無線通信システム、高い伝送速度を得るためにMIMO（Multiple Input Multiple Output）方式を用いたIEEE802.11等がある。
【０００４】
無線通信機能を有する電子機器のうち、ノート型パーソナルコンピュータ等の、携帯電話機と比較して大きい電子機器では、無線通信用のアンテナ素子は、一般的に筐体のコーナに設置される（例えば、特許文献１乃至３参照）。これは、コーナに設置することで電子機器内部の周辺部品との干渉が減り、また自由空間に開けている部分が多くなるので、利得の向上が期待できるためである。
【０００５】
一方、無線通信機能を有する電子機器には、縦向きに設置しても横向きに設置してもユーザが正位置で視聴可能なように表示が行われるデジタルフォトフレームのように、縦向きと横向きの両方で使用可能な電子機器がある。
【０００６】
このような電子機器においては、それぞれの向きでの使用時におけるアンテナ素子の放射特性に大きな差が生じないことが求められる。
【先行技術文献】
【特許文献】
【０００７】
【特許文献１】特表２００７−５０３１４９号公報
【特許文献２】特開２００６−２０１３６号公報
【特許文献３】特許第４０４７２８３号
【発明の概要】
【発明が解決しようとする課題】
【０００８】
しかしながら、無線通信機能を有する電子機器において、縦向きで使用される場合と横向きで使用される場合のアンテナ素子の放射特性の差を小さくすることは考えられていなかった。
【０００９】
本発明は、このような状況に鑑みてなされたものであり、縦向きで使用される場合と横向きで使用される場合のアンテナ素子の放射特性の差を小さくすることができるようにするものである。
【課題を解決するための手段】
【００１０】
本発明の第１の側面の電子機器は、回路基板と、前記回路基板上に設置されるアンテナ素子を備え、前記アンテナ素子は、自分の電子機器が縦向きおよび横向きのいずれの向きであっても、前記アンテナ素子の放射特性の水平面内の分布のばらつきが小さくなるように、前記回路基板の端部から所定のオフセットだけ離れた位置に設置される電子機器である。
【００１１】
本発明の第１の側面においては、アンテナ素子が、自分の電子機器が縦向きおよび横向きのいずれの向きであっても、アンテナ素子の放射特性の水平面内の分布のばらつきが小さくなるように、回路基板の端部から所定のオフセットだけ離れた位置に設置される。
【００１２】
本発明の第２の側面の電子機器は、回路基板と、前記回路基板上に設置されるアンテナ素子を備え、前記アンテナ素子は、自分の電子機器が縦向きである場合と横向きである場合の前記アンテナ素子の放射特性の水平面内の分布の平均値の差が小さくなるように、前記回路基板の端部から所定のオフセットだけ離れた位置に設置される電子機器である。
【００１３】
本発明の第２の側面においては、アンテナ素子が、自分の電子機器が縦向きである場合と横向きである場合のアンテナ素子の放射特性の水平面内の分布の平均値の差が最も小さくなるように、回路基板の端部から所定のオフセットだけ離れた位置に設置される。
【００１４】
本発明の第３の側面の電子機器は、回路基板と、前記回路基板上に設置されるアンテナ素子を備え、前記アンテナ素子は、前記アンテナ素子の放射特性の全方位分布が真球に近くなるように、前記回路基板の端部から所定のオフセットだけ離れた位置に設置される電子機器である。
【００１５】
本発明の第３の側面においては、アンテナ素子が、アンテナ素子の放射特性の全方位分布が最も真球に近くなるように、回路基板の端部から所定のオフセットだけ離れた位置に設置される。
【発明の効果】
【００１６】
以上のように、本発明の一側面によれば、縦向きで使用される場合と横向きで使用される場合のアンテナ素子の放射特性の差を小さくすることができる。
【図面の簡単な説明】
【００１７】
【図１】本発明を適用した液晶ディスプレイ機器の一実施の形態の外観を示す斜視図である。
【図２】アンテナの構成の概略を示す図である。
【図３】電磁界解析に用いられるアンテナの構成例を示す図である。
【図４】アンテナが縦向きである場合の水平面内の放射レベルの分布を示す図である。
【図５】アンテナが縦向きである場合の水平面内の放射利得と放射角度ごとの累積確率分布の関係を示す図である。
【図６】アンテナが横向きである場合の水平面内の放射レベルの分布を示す図である。
【図７】アンテナが横向きである場合の水平面内の放射利得と放射角度ごとの累積確率分布の関係を示す図である。
【図８】アンテナ素子の３次元全方位の放射レベルを示す図である。
【図９】放射特性の差が発生する理由について説明する図である。
【発明を実施するための形態】
【００１８】
＜一実施の形態＞
［液晶ディスプレイ機器の一実施の形態の構成例］
図１は、本発明を適用した液晶ディスプレイ機器の一実施の形態の外観を示す斜視図である。
【００１９】
図１の液晶ディスプレイ機器１０は、いわゆるデジタルフォトフレームであり、直方体の筐体１１、その直方体の所定の面に配置される液晶ディスプレイ１２などにより構成される。
【００２０】
この液晶ディスプレイ機器１０は、図１Ａに示すように、液晶ディスプレイ１２の表示領域が縦長となる向き（以下、縦向きという）に設置して使用することが可能である。また、液晶ディスプレイ機器１０は、図１Ｂに示すように、液晶ディスプレイ１２の表示領域が横長となる向き（以下、横向きという）に設置して使用することも可能である。
【００２１】
液晶ディスプレイ機器１０は、他の電子機器と無線通信を行うためのアンテナを内蔵する。液晶ディスプレイ機器１０は、アンテナを用いて無線通信により画像データを取得し、その画像データに基づいて、液晶ディスプレイ１２に自分の向きに対応する向きで画像を表示する。具体的には、液晶ディスプレイ機器１０は、ユーザが正位置で視聴可能な向きに画像を表示する。
【００２２】
［アンテナの構成例］
図２は、液晶ディスプレイ機器１０が横向きに設置された場合に、液晶ディスプレイ１２の設置面に垂直な方向から見たときの液晶ディスプレイ機器１０に内蔵されるアンテナ２０の構成の概略を示す図である。
【００２３】
図２に示すように、アンテナ２０は、地板２１、その地板２１上に設置される誘電体の回路基板２２、および、回路基板２２上に配置されるアンテナ素子２３により構成される。
【００２４】
アンテナ素子２３は、単一の周波数で共振し、回路基板２２の右上端部から所定のオフセットｄだけ離れた位置を中心として配置される。アンテナ素子２３としては、モノポールアンテナ、逆Ｆ型アンテナ、逆Ｌ型アンテナ、折り返しモノポールアンテナ、スロットアンテナなどを用いることができる。
【００２５】
オフセットｄは、液晶ディスプレイ機器１０を縦向きで使用する場合と横向きで使用する場合のアンテナ素子２３の放射特性の差が小さくなるように決定される。オフセットｄは、例えば、電磁界解析を行うことにより求めることができる。
【００２６】
[オフセットの決定方法の説明]
図３は、オフセットｄを求めるための電磁界解析に用いられるアンテナの構成例を示している。
【００２７】
図３Ａに示すように、電磁界解析では、解析対象とする第１のアンテナ３１として、地板２１上に設けられた回路基板２２の右上端部、即ち右上のコーナにアンテナ素子２３が配置されるアンテナが採用される。
【００２８】
なお、図３の例では、地板２１の長手方向の長さが140mmで、長手方向に垂直な方向の長さが90mmとなっている。以下では、この長手方向をｘ方向といい、この長手方向に垂直な方向をｚ方向といい、地板２１に垂直な方向をｙ方向という。
【００２９】
電磁界解析ではまた、図３Ｂに示すように、解析対象とする第２のアンテナ３２として、地板２１上に設けられた回路基板２２の上部中央にアンテナ素子２３が配置されるアンテナが採用される。さらに、図３Ｃに示すように、解析対象とする第３のアンテナ３３として、地板２１上に設けられた回路基板２２の右上端部と上部中央の中央にアンテナ素子２３が配置されるアンテナが採用される。
【００３０】
なお、電磁界解析に用いられるアンテナ３１乃至３３の地板２１と液晶ディスプレイ機器１０の地板２１の形状や大きさは同一である。また、アンテナ３１乃至３３のアンテナ素子２３と液晶ディスプレイ機器１０のアンテナ素子２３の形状、大きさ、および種類は同一である。
【００３１】
また、以下では、液晶ディスプレイ機器１０が縦向きに設置された場合のアンテナ２０の向きと同一のアンテナ３１乃至３３の向きを縦向きという。同様に、液晶ディスプレイ機器１０が横向きに設置された場合のアンテナ２０の向きと同一のアンテナ３１乃至３３の向きを横向きという。
【００３２】
電磁界解析を行って、アンテナ３１乃至３３が横向きである場合のアンテナ素子２３の最大利得および放射効率を計算すると、アンテナ３１では最大利得が3.9dBとなり、放射効率が-0.37dBとなる。また、アンテナ３２では、最大利得が3.1dBとなり、放射効率が-0.35dBとなる。アンテナ３３では、最大利得が3.4dBとなり、放射効率が-0.82dBとなる。
【００３３】
これにより、アンテナ３１では、アンテナ３２およびアンテナ３３に比べて最大利得が大きいことがわかる。また、アンテナ３３では、アンテナ３１およびアンテナ３２に比べて放射効率が低いことがわかる。従って、従来の横向きでのみ使用する電子機器では、放射利得や放射効率を考慮し、アンテナ３１のようにアンテナ素子をコーナに配置することが多い。
【００３４】
図４および図５は、電磁界解析の結果得られる、アンテナ３１乃至３３が縦向きである場合のアンテナ素子２３の水平面（ｙｚ面）内の放射特性の分布を示す図である。
【００３５】
図４において、円の角度は、アンテナ素子２３の水平面内の放射角度を示し、円の半径は、その放射角度ごとの放射レベルを示している。このことは、後述する図６においても同様である。
【００３６】
図４Ａ、図４Ｂ、図４Ｃは、それぞれ、アンテナ３１、アンテナ３２、アンテナ３３におけるアンテナ素子２３の水平面（ｙｚ面）内の放射特性としての放射レベルの分布を示している。
【００３７】
図４Ａにおいて、水平面内の各放射角度の放射レベルを示す円は大きく歪んでおり、アンテナ３１では、放射レベルの水平面内の分布のばらつきが大きいことがわかる。
【００３８】
また、図４Ｂにおいて、水平面内の各放射角度の放射レベルを示す円の歪みは、図４Ａの場合に比べて小さいが、その円弧の中心からの距離は全体的に短い。従って、アンテナ３２では、放射レベルの水平面内の分布のばらつきは、アンテナ３１に比べて小さいが、放射レベルが全体的に小さいことがわかる。
【００３９】
これに対して、図４Ｃでは、水平面内の各放射角度の放射レベルを示す円の歪みは十分小さく、その円弧の中心からの距離は全体的に長い。従って、アンテナ３３では、放射レベルの水平面内の分布のばらつきが十分小さく、放射レベルが全体的に大きいことがわかる。
【００４０】
図５は、電磁界解析の結果得られる、アンテナ３１乃至３３が縦向きである場合のアンテナ素子２３の水平面（ｙｚ面）内の放射利得と放射角度ごとの累積確率分布（CDF（Cumulative Distribution Function））の関係を示している。
【００４１】
図５のグラフにおいて、横軸は放射利得を表し、縦軸は累積確率分布を表している。また、点線、１点鎖線、実線は、それぞれ、アンテナ３１、アンテナ３２、アンテナ３３のアンテナ素子２３における関係を示している。このことは、後述する図７においても同様である。
【００４２】
図５において点線の傾きは小さく、アンテナ３１では、放射特性としての放射利得の水平面内の分布のばらつきが大きいことがわかる。
【００４３】
また、図５において一点鎖線の傾きは大きいが、放射利得が全体的に小さい。従って、アンテナ３２では、放射利得の水平面内の分布のばらつきは、アンテナ３１に比べて小さいが、放射利得が全体的に小さいことがわかる。
【００４４】
これに対して、図５の実線の傾きは大きく、放射利得が全体的に大きい。従って、アンテナ３３では、放射利得の水平面内のばらつきが十分小さく、放射利得が全体的に大きいことがわかる。
【００４５】
以上により、アンテナ３１乃至３３が縦向きである場合には、アンテナ３３が、アンテナ素子２３の放射特性の水平面内の分布のばらつきが十分小さく、放射利得が全体的に大きいことがわかる。
【００４６】
図６および図７は、電磁界解析の結果得られる、アンテナ３１乃至３３が横向きである場合のアンテナ素子２３の水平面（ｘｙ面）内の放射特性の分布を示す図である。
【００４７】
図６Ａ、図６Ｂ、図６Ｃは、それぞれ、アンテナ３１、アンテナ３２、アンテナ３３におけるアンテナ素子２３の水平面（ｘｙ面）内の放射特性としての放射レベルの分布を示している。
【００４８】
図６Ａにおいて、水平面内の各放射角度の放射レベルを示す円は大きく歪んでおり、アンテナ３１では、放射レベルの水平面内のばらつきが大きいことがわかる。
【００４９】
また、図６Ｃにおいて、水平面内の各放射角度の放射レベルを示す円の歪みは十分小さいが、その円弧の中心からの距離は全体的に短い。従って、アンテナ３３では、放射レベルの水平面内のばらつきは十分小さいが、放射レベルが全体的に小さいことがわかる。
【００５０】
これに対して、図６Ｂでは、水平面内の各放射角度の放射レベルを示す円の歪みは、図６Ｃに比べて大きいが、その円弧の中心からの距離は、図６Ｃに比べて全体的に長い。従って、アンテナ３２では、放射レベルの水平面内のばらつきが比較的小さく、放射レベルが全体的に大きい。
【００５１】
図７は、電磁界解析の結果得られる、アンテナ３１乃至３３が横向きである場合のアンテナ素子２３の水平面（ｘｙ面）内の放射利得と放射角度ごとの累積確率分布の関係を示している。
【００５２】
図７において点線の最大の放射利得は大きいが、傾きは小さい。従って、アンテナ３１では、放射利得の最大値は大きいが、放射利得の水平面内のばらつきも大きいことがわかる。
【００５３】
また、図７において実線の傾きは十分大きいが、放射利得が全体的に小さい。従って、アンテナ３３では、放射利得の水平面内のばらつきは十分小さいが、放射利得が全体的に小さいことがわかる。
【００５４】
これに対して、図７の一点鎖線の傾きは実線に比べて小さいが、放射利得が全体的に大きい。従って、アンテナ３２では、放射利得の水平面内のばらつきが比較的小さく、放射利得が全体的に大きいことがわかる。
【００５５】
以上により、アンテナ３１乃至３３が横向きである場合には、アンテナ３２が、アンテナ素子２３の放射特性の水平面内の分布のばらつきが比較的小さく、放射利得が大きくなることがわかる。
【００５６】
以上の電磁界解析結果から、液晶ディスプレイ機器１０が縦向きでのみ使用される場合には、オフセットｄの最適値は、地板２１の長手方向の長さの1/4であり、横向きでのみ使用される場合には、地板２１の長手方向の長さの1/2であることがわかる。
【００５７】
しかしながら、液晶ディスプレイ機器１０は縦向きでも横向きでも使用されるため、両方の向きで使用される場合に最適なオフセットｄの値を求める必要がある。
【００５８】
従って、液晶ディスプレイ機器１０では、オフセットｄとして、例えば、液晶ディスプレイ機器１０の向きが縦向きおよび横向きのいずれの場合であっても、アンテナ素子２３の放射特性の水平面内の分布のばらつきが、より小さくなるような値が求められる。
【００５９】
具体的には、上述した電磁界解析結果において、液晶ディスプレイ機器１０が縦向きであっても横向きであっても、水平面内の放射特性の分布のばらつきが最も小さいアンテナはアンテナ３３である。従って、地板２１の長手方向の長さの1/4がオフセットｄとして求められる。
【００６０】
このようにしてオフセットｄが決定されることにより、液晶ディスプレイ機器１０が縦向きで使用される場合であっても横向きで使用される場合であっても、アンテナ素子２３の放射特性の水平面内の分布のばらつきは小さくなる。
【００６１】
従って、液晶ディスプレイ機器１０が縦向きで使用される場合と横向きで使用される場合のアンテナ素子２３の放射特性の差は小さくなる。また、液晶ディスプレイ機器１０において、使用向きによらず、通信相手の位置によって感度が大きく異ならない快適な通信を行うことができる。
【００６２】
また、液晶ディスプレイ機器１０では、オフセットｄとして、液晶ディスプレイ機器１０が縦向きである場合と横向きである場合の放射利得の水平面内の分布の平均値の差（以下、放射利得平均差という）が最も小さくなるような値が求められるようにしてもよい。
【００６３】
具体的には、例えば、上述した電磁界解析では、放射利得平均差が、アンテナ３１で3.0dB、アンテナ３２で2.8dB、アンテナ３３で1.9dBとなる。従って、放射利得平均差が最も小さくなるアンテナはアンテナ３３である。よって、地板２１の長手方向の長さの1/4がオフセットｄとして求められる。
【００６４】
このようにしてオフセットｄが決定されることにより、液晶ディスプレイ機器１０が縦向きで使用される場合と横向きで使用される場合のアンテナ素子２３の放射特性としての放射利得の水平面内の分布の平均値の差は小さくなる。
【００６５】
さらに、液晶ディスプレイ機器１０では、オフセットｄとして、アンテナ素子２３の放射レベルの３次元全方位の分布が最も真球に近くなるような値が求められるようにしてもよい。
【００６６】
図８は、電磁界解析の結果得られる、アンテナ３１乃至３３におけるアンテナ素子２３の３次元全方位の放射レベルを示す図である。
【００６７】
図８において、球の角度は、アンテナ素子２３の３次元の放射角度を示し、球の半径は、その放射角度ごとの放射レベルを示している。
【００６８】
図８Ａ、図８Ｂ、図８Ｃは、それぞれ、アンテナ３１、アンテナ３２、アンテナ３３におけるアンテナ素子２３の放射特性としての放射レベルの３次元全方位の分布を示している。
【００６９】
図８Ａおよび図８Ｂにおいて、３次元の各放射角度の放射レベルを示す球は歪んでおり、アンテナ３１および３２は、縦向きである場合と横向きである場合の放射レベルの３次元全方位の分布の差が大きいことがわかる。
【００７０】
これに対して、図８Ｃでは、放射レベルが局所的に強い方向や弱い方向（ヌル）が少なく、３次元の各放射角度の放射レベルを示す球は真球に近い。従って、アンテナ３３では、縦向きである場合と横向きである場合の放射レベルの３次元全方位の分布の差が小さいことがわかる。
【００７１】
よって、アンテナ素子２３の放射レベルの３次元全方位の分布が最も真球に近くなるアンテナはアンテナ３３であるため、地板２１の長手方向の長さの1/4がオフセットｄとして求められる。
【００７２】
このようにしてオフセットｄが決定されることにより、液晶ディスプレイ機器１０が縦向きで使用される場合と横向きで使用される場合のアンテナ素子２３の放射特性としての放射レベルの３次元全方位の分布の差は小さくなる。
【００７３】
以上のように、液晶ディスプレイ機器１０が縦向きである場合と横向きである場合の放射特性の差が小さくなるようにオフセットｄが求められる場合、ユーザは、液晶ディスプレイ機器１０を縦向きで使用しても横向きで使用しても無線通信機能の能力の差を感じず、快適に無線通信を行うことができる。
【００７４】
次に、図９を参照して、アンテナ素子２３の配置により放射特性の差が発生する理由について説明する。
【００７５】
図９Ａ、図９Ｂ、図９Ｃは、それぞれ、アンテナ３１、アンテナ３２、アンテナ３３において無線通信時にアンテナ素子２３と地板２１を流れる電流の分布を示している。
【００７６】
図９Ａおよび図９Ｂにおいて、地板２１の周囲部分に強い電流の分布が多く存在する。従って、アンテナ３１および３２では、この地板２１の周囲に流れる強い電流によって、放射レベルが局所的に強い方向や弱い方向が多く出現すると考えられる。
【００７７】
これに対して、図９Ｃでは、地板２１の周囲部分に強い電流の分布が存在しないため、アンテナ３３では、放射レベルが局所的に強い方向や弱い方向があまり出現しないと考えられる。
【００７８】
なお、上述した説明では、単独で存在するアンテナの電磁界解析を行うことによりオフセットｄが求められた。しかしながら、放射特性は、筐体１１の形状や材質、液晶ディスプレイ機器１０に内蔵される他の電気部品との干渉等によっても異なるため、それらの条件も考慮したアンテナの電磁解析を行うことによりオフセットｄが求められるようにしてもよい。この場合、より正確なオフセットｄが求められる。
【００７９】
また、上述した説明では、アンテナ素子２３は単一の周波数で共振するものとしたが、複数の周波数で共振するものであってもよい。
【００８０】
この場合、アンテナ素子２３が複数の周波数の各周波数で共振する場合において、液晶ディスプレイ機器１０の向きが縦向きおよび横向きのいずれの向きであっても、アンテナ素子２３の放射特性の水平面内の分布のばらつきが小さくなるように、オフセットｄが求められる。
【００８１】
または、アンテナ素子２３が複数の周波数の各周波数で共振する場合において、液晶ディスプレイ機器１０が縦向きである場合と横向きである場合の放射利得平均差が小さくなるように、オフセットｄが求められる。または、アンテナ素子２３が複数の周波数の各周波数で共振する場合において、アンテナ素子２３の放射レベルの３次元全方位の分布が真球に近くなるように、オフセットｄが求められる。
【００８２】
筐体１０の形状は、直方体に限定されず、例えば立方体であってもよい。
【００８３】
本発明は、縦向きおよび横向きの両方で使用可能な電子機器に適用することができる。
【００８４】
なお、本発明の実施の形態は、上述した実施の形態に限定されるものではなく、本発明の要旨を逸脱しない範囲において種々の変更が可能である。
【符号の説明】
【００８５】
１０  液晶ディスプレイ機器，  １１  筐体，  １２  液晶ディスプレイ，  ２１  地板，  ２２  回路基板，  ２３  アンテナ素子
【図１】
2010226310.tif 000003
【図２】
2010226310.tif 000004
【図３】
2010226310.tif 000005
【図４】
2010226310.tif 000006
【図５】
2010226310.tif 000007
【図６】
2010226310.tif 000008
【図７】
2010226310.tif 000009
【図８】
2010226310.tif 000010
【図９】
2010226310.tif 000011